(57)【特許請求の範囲】
【請求項１】
ワイヤレス通信を行うためのワイヤレスカードを装着可能であり、かつ、前記ワイヤレスカードに接続されるワイヤレスアンテナを備えた情報処理装置であって、
前記情報処理装置に装着された前記ワイヤレスカードを認証する認証手段と、
前記認証手段が前記ワイヤレスカードの認証に成功した場合に、前記ワイヤレスカードに、電波を出力しない特殊モードから電波を出力する通常モードに移行させるための特殊コマンドを出力する特殊コマンド出力手段と、
を備え、
前記ワイヤレスカードは、前記情報処理装置がパワーオンされると、前記特殊モードでウェイク・アップ（Ｗａｋｅ  ＵＰ）して、前記特殊モードを維持し、前記特殊コマンド出力手段から前記特殊コマンドを受信した場合のみ、前記通常モードに移行することを特徴とする情報処理装置。    
【請求項２】
前記認証手段は、
前記ワイヤレスアンテナとの接続が許可されているワイヤレスカードを識別するための識別情報が記録されたテーブルを備え、
前記情報処理装置のパワーオンの際に、前記ワイヤレスカードに格納された識別情報と前記テーブルに記録された識別情報が合致した場合にメモリに許可情報を書き込み、当該メモリに書き込まれた許可情報は前記情報処理装置のパワーオフの際に消去され、
前記特殊コマンド出力手段は、
前記メモリに許可情報が書き込まれている場合に、前記ワイヤレスカードに前記特殊コマンドを出力することを特徴とする請求項１に記載の情報処理装置。  
【請求項３】
前記ワイヤレスカード用のＯＳのインボックス・クラス・ドライバ（ｉｎｂｏｘ  ｃｌａｓｓ  ｄｒｉｖｅｒ）がロードされることを特徴とする請求項１又は請求項２に記載の情報処理装置。  
【請求項４】
前記ワイヤレスカードは、前記特殊モードでは、システム側からの問い合わせに対してアウト・オブ・サービス（Ｏｕｔ  Ｏｆ  Ｓｅｒｖｉｃｅ）を返信することを特徴とする請求項１〜３のいずれか１つに記載の情報処理装置。  
【請求項５】
ワイヤレス通信を行うためのワイヤレスカードを装着可能であり、かつ、前記ワイヤレスカードに接続されるワイヤレスアンテナを備えた情報処理装置の通信方法であって、
前記情報処理装置がパワーオンされた場合に、前記情報処理装置に搭載されたワイヤレスカードが電波を出力しない特殊モードでウェイク・アップ（Ｗａｋｅ  ＵＰ）して、前記特殊モードを維持する工程と、
認証手段が、前記ワイヤレスカードを認証する工程と、
特殊コマンド出力手段が、前記認証手段が前記ワイヤレスカードの認証に成功した場合に、前記ワイヤレスカードに、前記特殊モードから電波を出力する通常モードに移行させるための特殊コマンドを出力する工程と、
前記ワイヤレスカードが、前記特殊コマンド出力手段から前記特殊コマンドを受信した場合のみ、前記通常モードに移行する工程と、
を含む情報処理装置の通信方法。  
【請求項６】
前記認証する工程は、テーブルに記録されている、前記ワイヤレスアンテナとの接続が許可されているワイヤレスカードを識別するための識別情報と、前記ワイヤレスカードに格納されている識別情報が合致した場合にメモリに許可情報を書き込むことを含み、
前記特殊コマンドを出力する工程は、前記メモリに許可情報が書き込まれている場合に、前記ワイヤレスカードに前記特殊コマンドを出力することを含む請求項５に記載の情報処理装置の通信方法。  
【請求項７】
ワイヤレスアンテナを備えた情報処理装置に装着されるワイヤレスカードであって、
電波を出力しない特殊モードと、電波を出力する通常モードとを有し、
前記情報処理装置がパワーオンされた場合に、前記特殊モードでウェイク・アップ（Ｗａｋｅ  ＵＰ）して、前記特殊モードを維持し、
前記情報処理装置から、前記特殊モードから前記通常モードに移行させるための特殊コマンドを受信した場合のみ、前記通常モードに移行することを特徴とするワイヤレスカード。
【発明の詳細な説明】
【技術分野】
【０００１】
本発明は、情報処理装置、その通信方法、及びワイヤレスデバイスに関する。
【背景技術】
【０００２】
近年、ケーブル無しで機器を接続し、ネットワークを構築するワイヤレス通信機能がノートブック型パーソナルコンピュータ（ノート型パソコン）等の情報処理装置に搭載されるようになってきた。ワイヤレス環境の最大の特徴は、ケーブルを使わずに他の機器と情報の受け渡しができることにあり、その種類としては、「ＩＲ（赤外線通信）」、「Ｂｌｕｅｔｏｏｔｈ（登録商標）」、「Ｗｉ−Ｆｉ（ワイファイ）」、及び「ワイヤレスＷＡＮ（Ｍｏｂｉｌｅ  Ｂｒｏａｄｂａｎｄ）」等の規格がある。
【０００３】
ここで、例えば、屋外などでブロードバンド・インターネットを有効に活用する際には、携帯電話回線を利用するワイヤレスＷＡＮ（Ｍｏｂｉｌｅ  Ｂｒｏａｄｂａｎｄ）を使用することが好ましい。ワイヤレスＷＡＮには、ＬＴＥやＨＳＰＡなどいくつかの通信方式があり、概ね数Ｍｂｐｓから数十Ｍｂｐｓで通信可能である。
【０００４】
一方、ノート型パソコンに代表される情報処理装置には、例えばモデム機能の拡張等、メモリの拡張や各種入出力に使うために、ＵＳＢカードやＰＣＩカードなどの機能拡張カードを装着可能に構成されている。装着の仕方としては、情報処理装置のマザーボード（メイン基板）上に装着させる方法や、スロットに装着する方法等がある。例えばこの機能拡張カードを用いて上述のワイヤレス通信機能を実現する場合に、従来では、機能拡張カード自身にアンテナを取り付け、拡張カード内にあるワイヤレス通信のためのコントローラとアンテナとを一体として、例えば、米連邦通信委員会（ＦＣＣ：Ｆｅｄｅｒａｌ  Ｃｏｍｍｕｎｉｃａｔｉｏｎｓ  Ｃｏｍｍｉｓｓｉｏｎ）等の認定を受けていた（以下、公的機関や法規等で必要とされる認定を「規格認定」と称する）。
【０００５】
しかし、機能拡張カードに設けることのできるアンテナは、アンテナの配置、大きさ等に制約があり、その性能を高めることが難しい。そこで、例えばノート型パソコンでは、近年、ワイヤレスアンテナを液晶パネル部から張り出した形や、液晶パネル部の外縁部等を利用して、ノート型パソコンの本体に高性能のアンテナを内蔵するように構成されたものが存在している。
【０００６】
ここで、上述の規格認定を受ける際に、本体側に設けられるワイヤレスアンテナとコントローラとを一体として許可を受ける必要がある。このとき、ノート型パソコンの備えるメイン基板に通信機能を実装すれば、設計上は最も簡単である。しかしながら、例えばワイヤレスＷＡＮは国毎に認証を取る必要があり、これらの機能をオンボードにしてしまうと、国毎に異なるメイン基板を作らなければならなくなる。また、将来の拡張性を考えると、メイン基板にコントローラを実装することは好ましくない。そこで、本体側にワイヤレスアンテナを用いた場合にも、メイン基板ではなく機能拡張カードにコントローラを搭載することが好ましい。
【０００７】
一方、このように、ワイヤレスアンテナとコントローラとが分離する状態にて前述のような規格認定を受ける場合には、ノート型パソコンのシステムに装着されるコントローラを限定する必要が生じる。すなわち、規格認定ではワイヤレスアンテナとコントローラとを一体として許可されることから、システムに接続された、規格認定を受けていないコントローラを組み合わせて、ノート型パソコンに搭載されたワイヤレスアンテナを介した電波出力を行うことは許されない。
【０００８】
具体的には、例えば、Ａ社でワイヤレスアンテナを搭載したノート型パソコン及びワイヤレスデバイス（コントローラ）を製造し、ノート型パソコンに搭載されるワイヤレスアンテナと、ワイヤレスデバイスについて規格認定を受けている場合に、他社のノート型パソコンでＡ社のワイヤレスデバイスを搭載して電波出力すると規格認定を満たさないことになる。他方、Ａ社のノート型パソコンに他社のワイヤレスデバイスを搭載して電波出力すると規格認定を満たさないことになる。
【先行技術文献】
【特許文献】
【０００９】
【特許文献１】特開２００３−３１８７６３号公報
【発明の概要】
【発明が解決しようとする課題】
【００１０】
本発明は、上記課題に鑑みてなされたものであり、アンテナと不適切な組み合わせとなるワイヤレスデバイスの接続による電波出力を禁止することが可能な情報処理装置、その通信方法、及びワイヤレスデバイスを提供することを目的とする。
【課題を解決するための手段】
【００１１】
上述した課題を解決し、目的を達成するために、本発明は、ワイヤレス通信を行うためのワイヤレスデバイスを装着可能であり、かつ、前記ワイヤレスデバイスに接続されるワイヤレスアンテナを備えた情報処理装置であって、前記情報処理装置に装着された前記ワイヤレスデバイスを認証する認証手段と、前記認証手段が前記ワイヤレスデバイスの認証に成功した場合に、前記ワイヤレスデバイスに特殊コマンドを出力する特殊コマンド出力手段と、を備え、前記ワイヤレスデバイスは、前記情報処理装置がパワーオンされると、電波を出力しない特殊モードを維持し、前記特殊コマンド出力手段から前記特殊コマンドを受信した場合に、電波を出力する通常モードに移行することを特徴とする。
【００１２】
また、本発明の好ましい態様によれば、前記認証手段は、前記ワイヤレスアンテナとの接続が許可されているワイヤレスデバイスを識別するための識別情報が記録されたテーブルを備え、前記ワイヤレスデバイスに格納された識別情報と前記テーブルに記録された識別情報が合致した場合にメモリに許可情報を書き込み、前記特殊コマンド出力手段は、前記メモリに許可情報が書き込まれている場合に、前記ワイヤレスデバイスに特殊コマンドを出力することが望ましい。
【００１３】
また、本発明の好ましい態様によれば、前記ワイヤレスデバイス用のＯＳのインボックス・ドライバ（ｉｎｂｏｘ  ｄｒｉｖｅｒ）がロードされることが望ましい。
【００１４】
また、本発明の好ましい態様によれば、前記ワイヤレスデバイスは、前記特殊モードでは、システム側からの問い合わせに対してアウト・オブ・サービス（Ｏｕｔ  Ｏｆ  Ｓｅｒｖｉｃｅ）を返信することが望ましい。
【００１５】
また、上述した課題を解決し、目的を達成するために、本発明は、ワイヤレス通信を行うためのワイヤレスデバイスを装着可能であり、かつ、前記ワイヤレスデバイスに接続されるワイヤレスアンテナを備えた情報処理装置の通信方法であって、前記情報処理装置がパワーオンされた場合に、前記情報処理装置に搭載されたワイヤレスデバイスが電波を出力しない特殊モードとなる工程と、認証手段が、前記ワイヤレスデバイスを認証する工程と、特殊コマンド出力手段が、前記認証手段が前記ワイヤレスデバイスの認証に成功した場合に、前記ワイヤレスデバイスに特殊コマンドを出力する工程と、前記ワイヤレスデバイスが、前記特殊コマンド出力手段から前記特殊コマンドを受信した場合に、電波を出力する通常モードに移行する工程と、を含むことを特徴とする。
【００１６】
また、本発明の好ましい態様によれば、前記認証する工程は、テーブルに記録されている、前記ワイヤレスアンテナとの接続が許可されているワイヤレスデバイスを識別するための識別情報と、前記ワイヤレスデバイスに格納されている識別情報が合致した場合にメモリに許可情報を書き込むことを含み、前記特殊コマンドを出力する工程は、前記メモリに許可情報が書き込まれている場合に、前記ワイヤレスデバイスに特殊コマンドを出力することを含むことが望ましい。
【００１７】
また、上述した課題を解決し、目的を達成するために、本発明は、ワイヤレスアンテナを備えた情報処理装置に装着されるワイヤレスデバイスであって、電波を出力しない特殊モードと、電波を出力する通常モードとを有し、前記情報処理装置がパワーオンされた場合には、電波を出力しない特殊モードを維持し、前記情報処理装置から特殊コマンドを受信した場合に、電波を出力する通常モードに移行することを特徴とする。
【発明の効果】
【００１８】
アンテナと不適切な組み合わせとなるワイヤレスデバイスの接続による電波出力を禁止することが可能となるという効果を奏する。
【図面の簡単な説明】
【００１９】
【図１】図１は本実施の形態に係る情報処理装置を適用したノート型パソコンの概略の外観構成を示す図である。
【図２】図２は、図１のノート型パソコンの概略的なハードウェア構成図である。
【図３】図３は、図２のワイヤレスＷＡＮカードの機能及び動作を説明するための模式図である。
【図４】図４は、他社のノート型パソコンに、本実施の形態のワイヤレスＷＡＮカードを搭載した場合の動作を説明するための模式図である。
【図５】図５は、ノート型パソコンのパワーオン後のワイヤレスＷＡＮカードに対する処理を説明するためのフローチャートである。
【発明を実施するための形態】
【００２０】
以下に、この発明にかかる情報処理装置、その通信方法、及びワイヤレスデバイスを図面に基づいて詳細に説明する。本発明の構成要素は、本明細書の図面に一般に示してあるが、様々な構成で広く多様に配置し設計してもよいことは容易に理解できる。したがって、本発明の装置、システムおよび方法の実施形態についての以下のより詳細な説明は、特許請求の範囲に示す本発明の範囲を限定するものではなく、単に本発明の選択した実施形態の一例を示すものであって、本明細書の特許請求の範囲に示す本発明と矛盾無く装置、システムおよび方法についての選択した実施形態を単に示すものである。当業者は、特定の細目の１つ以上が無くても、または他の方法、部品、材料でも本発明を実現できることが理解できる。なお、この実施の形態によりこの発明が限定されるものではない。また、下記実施の形態における構成要素には、当業者が容易に想定できるものまたは実質的に同一のものが含まれる。  
【００２１】
（実施の形態）
図１は、本実施の形態に係る情報処理装置を適用したノート型パソコンの概略の外観構成を示す図である。図１に示すように、ノート型パソコン１は、本体側筐体２と、モニタ側筐体３とから構成されている。本体側筐体２の上面にはキーボードやトラックポイントなどの入力部２１が設けられている。この入力部２１は、各種のコマンドやデータ等を入力するときに操作される。また、本体側筐体２の内部にはマザーボード（不図示）が設けられている。ワイヤレスＷＡＮカード３１は、このマザーボードに装着可能であり、例えば本体側筐体２の底面に設けられた蓋を開いてマザーボードに装着される。
【００２２】
モニタ側筐体３は、その一辺を回動中心として、一対のヒンジ（連結部）６を介し、本体側筐体２に対して回動（開閉）可能に構成されている。モニタ側筐体３には、例えば、ＬＣＤ（Ｌｉｑｕｉｄ  Ｃｒｙｓｔａｌ  Ｄｉｓｐｌａｙ）等の表示パネル１８が設けられており、表示パネル１８には、本体側筐体２からの指令に応じて、各種の情報が表示される。
【００２３】
また、モニタ側筐体３には、表示パネル１８の両側の内部にワイヤレスアンテナであるダイバーシティアンテナ１５が設けられ、ケーブル１６を介してマザーボードに装着されるワイヤレスＷＡＮカード３１に接続される。
【００２４】
本体側筐体２及びモニタ側筐体３は、例えば、耐久性を高くする必要性から、例えばＣＦＲＰ（炭素繊維複合材料：強化プラスチック）にチタンを含有させた素材が用いられる。なお、この素材は電波を通さないことから、ダイバーシティアンテナ１５が設けられる部分だけ、例えばＡＢＳのプラスチック素材が用いられている。ダイバーシティアンテナ１５は、２本のアンテナの中から、受信感度の良い方が自動的に使用されるように構成されている。
【００２５】
図２は、図１のノート型パソコンの概略的なハードウェア構成図である。ＣＰＵ１１はメモリ・コントローラとＰＣＩ  Ｅｘｐｒｅｓｓコントローラを内蔵しており、メイン・メモリ１９、ビデオカード１７およびチップセット１２に接続されている。ビデオカード１７は、画像表示に関連する機能を実現するためのサブシステムであり、ビデオコントローラを含んでいる。このビデオコントローラは、ＣＰＵ１１からの描画命令を処理し、処理した描画情報をビデオメモリに書き込むと共に、ビデオメモリからこの描画情報を読み出して、表示パネル１８に描画データとして出力している。  
【００２６】
メイン・メモリ１９は、ＣＰＵ１１の実行プログラムの読み込み領域として、あるいは実行プログラムの処理データを書き込む作業領域として利用される書き込み可能メモリである。例えば、複数個のＤＲＡＭチップで構成される。この実行プログラムには、ＯＳ、周辺機器類をハードウェア操作するための各種ドライバ、ユーティリティプログラム（Ｔｏｏｌ）、特定業務を実行するためのアプリケーションプログラム等が含まれる。これら実行プログラムは、ＨＤＤ１４に格納されている。  
【００２７】
チップセット１２は、ＵＳＢ、ＳＡＴＡ、ＰＣＩ  Ｅｘｐｒｅｓｓ、ＬＰＣなどのコントローラ（不図示）やＲＴＣ（Ｒｅａｌ  Ｔｉｍｅ  Ｃｌｏｃｋ）等を内蔵している。ＳＡＴＡコントローラにはＨＤＤ１４が接続され、ＵＳＢコントローラにはＵＳＢスロット１３が接続されている。ＬＰＣコントローラには、ＲＲＰＲＯＭ４０およびエンベデッド・コントローラ（ＥＣ）２２が接続されている。
【００２８】
ＵＳＢスロット１３には、ワイヤレスＷＡＮカード３１が装着可能に構成されている。ワイヤレスＷＡＮカード３１がＵＳＢスロット１３を介してマザーボードに装着されると、アンテナコネクタ３２を介して、ケーブル１６を経由してダイバーシティアンテナ１５に接続される。
【００２９】
このＥＥＰＲＯＭ４０は、ＢＩＯＳ（Ｂａｓｉｃ  Ｉｎｐｕｔ／Ｏｕｔｐｕｔ  Ｓｙｓｔｅｍ：基本入出力システム）４１、エンベデッド・コントローラ２２を制御するためのプログラム、ユーザによって登録されたパスワードやスーパーバイザーパスワード、製品シリアル番号等の情報を保持するためのメモリであり、不揮発性で記憶内容を電気的に書き換え可能である。
【００３０】
エンベデッド・コントローラ２２は、ＣＰＵ、ＲＯＭ、ＲＡＭなどで構成されたマイクロ・コンピュータであり、さらに複数チャネルのＡ／Ｄ入力端子、Ｄ／Ａ出力端子、タイマ、およびディジタル入出力端子を備えている。エンベデッド・コントローラ２２は、ノート型パソコン１の内部の動作環境の管理にかかるプログラムをＣＰＵ１１とは独立して実行することができる。エンベデッド・コントローラ２２は、入力部２１のコントロールを行う。
【００３１】
また、エンベデッド・コントローラ２２は電池セット２３の状態を監視して充電器２７の動作を制御する。電池セット２３は、スマート・バッテリィ・システム（ＳＢＳ）の規格に適合し、筐体の内部にユーザが交換できない態様で実装される。エンベデッド・コントローラ４１は、電池セット２３の充電電流の設定値および充電電圧の設定値を充電器２７に設定する。充電器２７は、エンベデッド・コントローラ２２により設定された充電電流の設定値および充電電圧の設定値に基づいて、定電流定電圧制御方式（ＣＣＣＶ）で電池セット２２を充電する。  
【００３２】
エンベデッド・コントローラ２２は、パワー・コントローラ２５を介してＤＣ／ＤＣコンバータ２９を制御して、ノート型パソコン１に実装されたシステム・デバイスに電力を供給する。パワー・コントローラ２５は、エンベデッド・コントローラ２２およびＤＣ／ＤＣコンバータ２９に接続され、エンベデッド・コントローラ２２からの指示に基づいてＤＣ／ＤＣコンバータ２９を制御する。ＤＣ／ＤＣコンバータ２９は、電池セット２３またはＡＣ／ＤＣアダプタ（不図示）から供給される直流電圧を複数の電圧に変換してシステム・デバイスに電力を供給する。  
【００３３】
図３は、図２のワイヤレスＷＡＮカード３１の機能及び動作を説明するための模式図である。以下の説明では、ＣＰＵ１１がプログラムを実行して実現する動作を、プログラムを動作主体として説明する。
【００３４】
ところで、例えばＷｉｎｄｏｗｓ（登録商標）８では、ワイヤレスＷＡＮデバイス用にｉｎｂｏｘ  ｃｌａｓｓ  ｄｒｉｖｅｒをサポートする。例えば、Ａ社製のパソコンに搭載されるワイヤレスアンテナとＡ社製のワイヤレスＷＡＮカード（コントローラ）について規格認定を受けている場合に、他社のパソコンにＡ社製のワイヤレスＷＡＮカードを搭載すると、規格認定に違反した動作となる場合がある。具体的には、他社製のパソコンにおいて、Ｗｉｎｄｏｗｓ（登録商標）８は、例えばＵＳＢのベースクラス（Ｂａｓｅ  Ｃｌａｓｓ）の「０２ｈ」とサブクラス（Ｓｕｂ  Ｃｌａｓｓ）の「０Ｅｈ」をチエックし、ワイヤレスＷＡＮカードがある場合には、対応するｉｎｂｏｘ  ｃｌａｓｓドライバを自動的にロードする。ワイヤレスＷＡＮカードは、ロードされたｉｎｂｏｘ  ｃｌａｓｓ  ｄｒｉｖｅｒからのコマンドに従って動作して電波出力を行う。このｉｎｂｏｘ  ｃｌａｓｓ  ｄｒｉｖｅｒはカスタマイズできないようになっているため、ｉｎｂｏｘ  ｃｌａｓｓ  ｄｒｉｖｅｒから規格認定されていないワイヤレスＷＡＮカードの電波出力を禁止するようにすることはできない。
【００３５】
そこで、本実施の形態では、ワイヤレスＷＡＮカード３１が他社のノート型パソコンに搭載された場合でも規格違反とならないように、以下のような構成を採用している。
【００３６】
ワイヤレスＷＡＮカード３１は、ＵＳＢ規格に準拠したワイヤレスデバイスであり、送受信回路を有し、システム側とコマンドやデータの送受信を行い、ワイヤレス通信を制御するワイヤレスコントローラ３３と、ワイヤレスコントローラ３３がアクセス可能な不揮発性メモリ３４等を備えている。この不揮発性メモリ３４には、ワイヤレスＷＡＮカード３１の識別情報であるベンダーＩＤ及びプロダクトＩＤが格納されている。
【００３７】
ワイヤレスコントローラ３３は、電波の出力を行わず、システム側からの問い合わせ等に対して、”Ｏｕｔ  ｏｆ  Ｓｅｒｖｉｃｅ（圏外）”を返信する特殊モードと、電波出力を含む通常の動作を行う通常モードとを備えている。ワイヤレスコントローラ３３は、ノート型パソコン１がパワーオンされると、特殊モードでＷａｋｅ  Ｕｐし（Ｔ１）、ユーティリティプログラム５２から特殊コマンドを受け取った場合のみ通常モードに移行する（Ｔ６）。
【００３８】
ＥＥＰＲＯＭ４０は、ＢＩＯＳ４１、デバイステーブル４２を格納し、シークレットキー（許可情報）用のフィールド４３を備えている。デバイステーブル４２には、ワイヤレス通信に関してワイヤレスアンテナとの組み合わせで規格認定を受けているネットワークコントローラ（ワイヤレスデバイス）のＩＤ（識別情報）が格納されている。具体的には、このデバイステーブル４２に格納されているＩＤは、ワイヤレスアンテナであるダイバーシティアンテナ１５との組み合わせで、例えば、国際規格ＩＥＥＥ８０２．１１ｂ等の各規格にて互換性が認められたネットワークコントローラのＩＤである。例えば、デバイステーブル４２には、プロダクト毎に、規格認定を受けている、ＵＳＢのベンダーＩＤ（カードを供給する会社を特定するＩＤ）及びプロダクトＩＤ（カードを一義的に特定できるＩＤ）が格納されている。なお、ここでは、シークレットキーをＥＥＰＲＯＭ４０に記録することにしているが、これに限らず、シークレットキーをメイン・メモリ１９に記録することにしてもよい。メイン・メモリ１９に記録されたデータは本体がパワーオフされると消去される。
【００３９】
ＢＩＯＳ４１は、認証手段として機能し、ブーティング時に、ワイヤレスＷＡＮカード３１の認証を行う（Ｔ２）。具体的には、ＢＩＯＳ４１は、ブーティング時に、ワイヤレスカードが装着されるスロットを探索して、デバイスを発見し、そのデバイスからベンダーＩＤとプロダクトＩＤを読み出す。ＢＩＯＳ４１は、読み出したベンダーＩＤ及びプロダクトＩＤがデバイステーブル４２に登録されているベンダーＩＤ及びプロダクトＩＤと一致するか否を判断し、一致する場合（認証に成功した場合）には、ＥＥＰＲＯＭ４０のフィールド４３にシークレットキーを書き込む（Ｔ３）。なお、フィールド４３に書き込まれたシークレットキーはパワーオフ時に消去される。
【００４０】
ＯＳ５０は、例えば、Ｗｉｎｄｏｗｓ（登録商標）８である。ＯＳ５０はブーティング後に、ＵＳＢのベースクラスが「０２ｈ」、サブクラスが「０Ｅｈ」に対応するｉｎｂｏｘ  ｃｌａｓｓ  ｄｒｉｖｅｒ５１をロードする。
【００４１】
ユーティリティプログラム５２は、特殊コマンド出力手段として機能する。ユーティリティプログラム５２は、ＯＳ５０のブーティング後、ＥＥＰＲＯＭ４０のフィールド４３にシークレットキーが書き込まれているか否かを確認し（Ｔ４）、シークレットキーが書き込まれている場合には、ワイヤレスＷＡＮカード３１に特殊コマンドを出力し（Ｔ５）、シークレットキーが書き込まれていない場合には、特殊コマンドを出力しない。
【００４２】
上記構成により、ワイヤレスコントローラ３３は、特殊モードの場合は、例えば、ｉｎｂｏｘ  ｃｌａｓｓ  ｄｒｉｖｅｒ５１からの問い合わせや電波出力要求があっても、”Ｏｕｔ  ｏｆ  Ｓｅｒｖｉｃｅ”を返信して電波出力しない（Ｔ７）。また、ワイヤレスコントローラ３３は、通常モードの場合は、ｉｎｂｏｘ  ｃｌａｓｓ  ｄｒｉｖｅｒ５１から電波出力要求があった場合は電波出力する（Ｔ８）。
【００４３】
図４は、他社のノート型パソコン（ワイヤレスＷＡＮカード３１とセットで規格認定されていないアンテナを搭載したノート型パソコン）に、本実施の形態のワイヤレスＷＡＮカード３１を搭載した場合の動作を説明するための模式図である。図４において、１００はＯＳ、１０１はｉｎｂｏｘ  ｃｌａｓｓ  ｄｒｉｖｅｒ、２００はＥＥＰＲＯＭ、２０１はＢＩＯＳを示している。他社のノート型パソコンの場合には、図４に示すように、図３のユーティリティプログラム５２、デバイステーブル４２、及びフィールド４３は存在しない。
【００４４】
図４において、ワイヤレスＷＡＮカード３１は、特殊モードでＷａｋｅ  Ｕｐする（Ｕ１）。他社のノート型パソコンでは、特殊コマンドをワイヤレスＷＡＮカード３１に出力できないため（ユーティリティプログラム５２がないため）、ワイヤレスＷＡＮカード３１は、常時、特殊モードを維持する。なお、仮に、ユーティリティプログラム５２をインストールしたとしても、ＥＥＰＲＯＭ２００のフィールドにシークレットキーが書き込まれていないため、ワイヤレスＷＡＮカード３１は特殊モードを維持する。ワイヤレスＷＡＮカード３１は、常時、特殊モードを維持するため、例えば、ｉｎｂｏｘ  ｃｌａｓｓ  ｄｒｉｖｅｒ１０１から電波出力の要求があっても電波を出力しない（Ｕ２）。従って、ワイヤレスＷＡＮカード３１が他社のノート型パソコンに搭載された場合でも規格違反とはならない。
【００４５】
図５は、ノート型パソコン１のパワーオン後のワイヤレスＷＡＮカード３１に対する処理を説明するためのフローチャートである。同図において、まず、ノート型パソコン１がパワーオンされると（ステップＳ１）、各部に電源が供給され、ワイヤレスＷＡＮカード３１は、特殊モードでＷａｋｅ  Ｕｐする（ステップＳ２）。そして、ＢＩＯＳ４１がブーティングを開始する（ステップＳ３）。ＢＩＯＳ４１は、ワイヤレスカードが装着されるスロットを探索して、デバイスを発見し、そのデバイスからベンダーＩＤとプロダクトＩＤを読み出す。ＢＩＯＳ４１は、読み出したベンダーＩＤ及びプロダクトＩＤがデバイステーブル４２に登録されているベンダーＩＤ及びプロダクトＩＤと一致するか否か、すなわち、このノート型パソコン１にてサポートされているデバイスか否かを判断する（ステップ４）。ワイヤレスＷＡＮカード３１のベンダーＩＤ及びプロダクトＩＤとデバイステーブル４２に登録されているベンダーＩＤ及びプロダクトＩＤが一致しない場合には（ステップＳ４の「Ｎｏ」）、ステップＳ６に移行する。
【００４６】
ワイヤレスＷＡＮカード３１のベンダーＩＤ及びプロダクトＩＤとデバイステーブル４２に登録されているベンダーＩＤ及びプロダクトＩＤが一致する場合（ステップＳ４の「Ｙｅｓ」）、すなわち、認証に成功した場合には、ＢＩＯＳ４１は、ＥＥＰＲＯＭ４０のフィールド４３にシークレットキーを書き込む（ステップＳ５）。
【００４７】
ＯＳ５０がブートされると（ステップＳ６）、ＯＳ５１はドライバをロードし、例えば、ＵＳＢのベースクラスが「０２ｈ」、サブクラスが「０Ｅｈ」のデバイスのｉｎｂｏｘ  ｃｌａｓｓ  ｄｒｉｖｅｒ５１をロードする（ステップＳ７）。
【００４８】
ユーティリティプログラム５２は、ＥＥＰＲＯＭ４０のフィールド４３にシークレットキーが書き込まれているか否かを判定する（ステップＳ８）。シークレットキーが書き込まれている場合には（ステップＳ８の「Ｙｅｓ」）、ワイヤレスＷＡＮカード３１に特殊コマンドを出力する（ステップＳ９）。ワイヤレスＷＡＮカード３１は、特殊コマンドを受け取ると、特殊モードから通常モードに移行する（ステップＳ１０）。これにより、ワイヤレスＷＡＮカード３１は電波出力することが可能となる。
【００４９】
他方、ステップＳ８において、ＥＥＰＲＯＭ４０のフィールド４３にシークレットキーが書き込まれていない場合には（ステップＳ８の「Ｎｏ」）、ユーティリティプログラム５２は、ワイヤレスＷＡＮカード３１に特殊コマンドを出力しない。この場合は、規格認定を受けていないワイヤレスデバイスが搭載されていたことになる。
【００５０】
なお、上記ステップＳ４において、ワイヤレスＷＡＮカード３１のベンダーＩＤ及びプロダクトＩＤとデバイステーブル４２に登録されているベンダーＩＤ及びプロダクトＩＤが一致しない場合には（認証に失敗した場合）、ブートシーケンスを中止することにしてもよい。
【００５１】
以上説明したように、本実施の形態によれば、ＢＩＯＳ４１は、搭載されるワイヤレスＷＡＮカード３１を認証し、ユーティリティプログラム５１は、ワイヤレスＷＡＮカード３１の認証に成功した場合に、ワイヤレスＷＡＮカード３１に特殊コマンドを出力し、ワイヤレスＷＡＮカード３１は、パワーオンされた場合には、電波を出力しない特殊モードを維持し、ユーティリティプログラム５１から特殊コマンドを受信した場合に、電波を出力する通常モードに移行することとしたので、アンテナと不適切な組み合わせとなるワイヤレスデバイスの接続による電波出力を禁止することが可能となる。
【００５２】
付言すると、ワイヤレスＷＡＮカード３１との組み合わせで規格認定されていないアンテナを搭載したノート型パソコンに、ワイヤレスＷＡＮカード３１を搭載したとしても、ワイヤレスＷＡＮカード３１は電波出力しないため、アンテナと不適切な組み合わせとなるワイヤレスデバイスの接続による電波出力を禁止することが可能となる。
【００５３】
また、本実施の形態によれば、ダイバーシティアンテナ１５との接続が許可されているワイヤレスデバイスを識別するための識別情報（例えば、ベンダーＩＤ及びプロダクトＩＤ）が記録されたデバイステーブル４２を備え、ＢＩＯＳ４１は、ワイヤレスＷＡＮカード３１の識別情報とデバイステーブル４２に記録された識別情報が合致した場合に許可情報であるシークレットキーをＥＥＰＲＯＭ４０に書き込み、ユーティリティプログラム５１は、シークレットキーが書き込まれている場合に、ワイヤレスＷＡＮカード３１に特殊コマンドを出力することとしたので、簡単かつ低コストな方法でワイヤレスデバイスを認証することが可能となる。
【００５４】
また、本実施の形態では、Ｗｉｎｄｏｗｓ（登録商標）８等のｉｎｂｏｘ  ｃｌａｓｓ  ｄｒｉｖｅｒをサポートするＯＳを搭載した場合でも、アンテナと不適切な組み合わせとなるワイヤレスデバイスの接続による電波出力を禁止することが可能となる。
【００５５】
また、本実施の形態では、認証手段としてＢＩＯＳ４１を使用することとしたが、認証手段はこれに限られるものではなく、他のファームウェアや認証用ハードウェア等を使用することにしてもよい。
【００５６】
また、本実施の形態では、特殊コマンド出力手段として、ユーティリティプログラム５２を使用することとしたがこれに限られるものではなく、ＢＩＯＳ４１が特殊コマンド出力手段として機能することにしてもよい。
【００５７】
また、本実施の形態では、ワイヤレスＷＡＮカード３１は特殊モードの場合に、システム側に”Ｏｕｔ  Ｏｆ  Ｓｅｒｖｉｃｅ”を返信することとしたが、規格認定では電波出力が禁止されているので、受信を行うことにしてもよく、電波出力を行わなければ如何なる態様としてもよい。
【００５８】
また、本実施の形態では、ＵＳＢ規格のワイヤレスデバイスを使用することとしたが、これに限らず、例えば、ＰＣＩやＰＣＭＣＩＡ等の他の規格のワイヤレスデバイスを使用することにしてもよい。また、本実施の形態では、ワイヤレスＷＡＮカードを使用することとしたが、これに限らず、例えば、ＷＬＡＮ、Ｂｌｕｅｔｏｏｔｈ（登録商標）やＷＩＭＡＸ等の他の規格のワイヤレスデバイスを使用することにしてもよい。
【００５９】
また、本実施の形態では、情報処理装置として、ノート型パソコンを例示して説明したが、これに限られるものではなく、ディスクトップパソコン、タブレットパソコン、ＰＤＡ、携帯電話等の他の情報処理装置に適用可能である。  
【産業上の利用可能性】
【００６０】
本発明に係る情報処理装置、その通信方法、及びワイヤレスデバイスは、アンテナと不適切な組み合わせとなるワイヤレスデバイスの接続による電波出力を禁止する場合に有用である。  
【符号の説明】
【００６１】
１  ノート型パソコン
２  本体側筐体
３  モニタ側筐体
６  ヒンジ（連結部）
１１  ＣＰＵ１１
１２  チップセット
１３  ＵＳＢスロット
１４  ＨＤＤ
１５  ダイバーシティアンテナ
１６  ケーブル
１７  ビデオカード
１８  表示パネル
１９  メイン・メモリ
２１  入力部
３１  ワイヤレスＷＡＮカード
３３  ワイヤレスコントローラ
３４  不揮発性メモリ
４０  ＥＥＰＲＯＭ
４１  ＢＩＯＳ
４２  デバイス
４３  フィールド
５０  ＯＳ
５１  ｉｎｂｏｘ  ｃｌａｓｓ  ｄｒｉｖｅｒ
５２  ユーティリティプログラム
【図１】
0005869429.tif 000002
【図２】
0005869429.tif 000003
【図３】
0005869429.tif 000004
【図４】
0005869429.tif 000005
【図５】
0005869429.tif 000006